(57)【要約】【課題】取り出しが効率的にでき、しかも化粧料の交換を容易に行うことができる複合容器を提供する。【解決手段】液状又はペースト状化粧料が収容されるレフィル容器を含む複数のレフィル容器５ａ、５ｂ、５ｃが装着可能な装着部３１を有する主本体３と、装着部３１にレフィル容器５ａ、５ｂ、５ｃが装着されている場合、主本体３と係り合い、装着部３１に装着された状態のレフィル容器５ａ、５ｂ、５ｃを覆う主蓋体２と、によって複合容器１を構成する。【選択図】図１
2019092727.tif 000002
【特許請求の範囲】
【請求項１】
液状又はペースト状化粧料が収容されるレフィル容器を含む複数のレフィル容器が装着可能な装着部を有する主本体と、
前記装着部に前記レフィル容器が装着されている場合、前記主本体と係り合い、前記装着部に装着された状態の前記レフィル容器を覆う主蓋体と、
を含む、複合容器。
【請求項２】
前記装着部は、前記主本体と一体的に、または別体として形成され、前記レフィル容器が嵌合される嵌合部である、請求項１に記載の複合容器。
【請求項３】
前記嵌合部は、前記レフィル容器の底面を含む高さ方向の一部と嵌合する、請求項２に記載の複合容器。
【請求項４】
前記装着部は、前記主本体の内周面に形成された凹溝と、
前記凹溝に嵌合される仕切部材と、を含み、前記内周面と前記仕切部材によって形成される空間に前記レフィル容器が嵌合する、請求項３に記載の複合容器。
【請求項５】
前記レフィル容器は、開口部を有するレフィル本体と、前記開口部を覆うレフィル蓋体と、を含み、前記レフィル蓋体は、前記開口部よりも外側に延出するタブ部を有する、請求項１から４のいずれか一項に記載の複合容器。
【請求項６】
前記レフィル容器は、前記レフィル本体に設けられて、前記主蓋体に向けて伸縮変形可能な伸縮部を有する、請求項１から５のいずれか一項に記載の複合容器。
【請求項７】
請求項１から６のいずれか一つの複合容器と、液状又はペースト状化粧料が収容されるレフィル容器と、を含む化粧料容器であって、前記装着部に前記レフィル容器が装着される、化粧料容器。
【請求項８】
主本体と、レフィル容器が装着される装着部と、前記主本体と係り合い、前記装着部に装着された前記レフィル容器を覆う主蓋体と、を有する複合容器に装着され、液状又はペースト状化粧料が収容されるレフィル容器であって、
開口部を有するレフィル本体と、前記開口部を覆うレフィル蓋体と、を含み、前記レフィル蓋体は、前記開口部よりも外側に延出するタブ部を有する、レフィル容器。
【発明の詳細な説明】
【技術分野】
【０００１】
本発明は、複合容器に関する。
【背景技術】
【０００２】
化粧料には、皮膚を清潔にして健やかに保つことを目的とする基礎化粧料と、皮膚のシミやシワを見え難したり彩色したりするメイクアップ化粧料とがある。通常、化粧には、複数種類の基礎化粧料やメイクアップ化粧料を皮膚に塗布する工程が含まれており、工程のうちいずれを選択するか、あるいは工程の順番は個人によって任意に決めることができる。基礎化粧料には、化粧水、美容液、乳液、クリーム、ジェル等があるが、基礎化粧料の塗布の順番は、各基礎化粧料の効果を十分得るために重要である。また、メイクアップ化粧料は、基礎化粧料の塗布完了後に任意に皮膚に塗布される。
【０００３】
上記複数種類の化粧料は、通常各々別の容器に収容されている。このため、当然のことながら、順番に基礎化粧料を塗布する場合には、各容器の蓋を開け、基礎化粧料を手指等に取り出し後に蓋を閉める動作を繰り返すことになるが、使用者が蓋の開封を繰り返す動作が煩わしい、あるいは複数回の開閉にかかる時間が惜しいと感じることがある。さらに、容器の開閉、基礎化粧料の取り出しを連続して行うと、先に取り出した基礎化粧料が手指に付着していて、この化粧料が次に開閉される容器に付着して容器が汚れることが考えられる。
一方、容器を一度開閉して別々に保存されている複数の内容物を取り出す容器は、例えば、特許文献１に記載されている。
【先行技術文献】
【特許文献】
【０００４】
【特許文献１】特開２００１−３２８６８５号公報
【発明の概要】
【発明が解決しようとする課題】
【０００５】
しかしながら、特許文献１に記載の容器では、内容物を収容する複数の収容凹体が収容容器体に一体に成形されており、一つの内容物を使い終わった際に、新たな内容物の補充が行いにくいという課題があった。
本発明は、上記点に鑑みてなされたものであり、取り出しが効率的にでき、しかも化粧料の交換を容易に行うことができる複合容器に関する。
【課題を解決するための手段】
【０００６】
本発明の複合容器は、液状又はペースト状化粧料が収容されるレフィル容器を含む複数のレフィル容器が装着可能な装着部を有する主本体と、前記装着部に前記レフィル容器が装着されている場合、前記主本体と係り合い、前記装着部に装着された状態の前記レフィル容器を覆う主蓋体と、を含む。
【発明の効果】
【０００７】
本発明は、取り出しが効率的にでき、しかも化粧料の交換を容易に行うことができる複合容器を提供することができる。
【図面の簡単な説明】
【０００８】
【図１】本発明の第一実施形態の複合容器を説明するための分解斜視図である。
【図２】（ａ）は図１に示した複合容器の全体の外観を説明するための斜視図である。（ｂ）は（ａ）に示した複合容器の正面図である。
【図３】（ａ）は図２に示した複合容器の上面図である。（ｂ）は図２に示した複合容器の底面図である。
【図４】図３（ａ）に示した複合容器の断面図である。
【図５】本発明の第二実施形態の複合容器を説明するための分解斜視図である。
【図６】図５に示した主本体の上面図である。
【図７】図６に示した中皿及び主本体の断面図である。
【図８】第三実施形態の主本体に仕切部材が装着された状態を示す図である。
【図９】（ａ）は仕切部材の一例を示した図である。（ｂ）は仕切部材の他の例を示した図である。（ｃ）は仕切部材のさらに他の例を示した図である。
【図１０】主蓋体及び主本体が上面視において円形でない複合容器を例示した図である。
【発明を実施するための形態】
【０００９】
以下、本発明の第一実施形態、第二実施形態及び第三実施形態を図面に基づいて説明する。なお、すべての図面において、同様の構成要素には同様の符号を付し、重複する説明は適宜省略する。また、本実施形態の図面は、本実施形態の各部分の配置や関係性を説明するためのものであって、その縦横幅等の寸法形状までを限定するものではない。さらに、本実施形態の図面は、第一実施形態から第三実施形態の一例を示すものであり、第一実施形態から第三実施形態は、いずれも図面の構成に限定されるものではない。
【００１０】
［第一実施形態］
（化粧料容器）
図１は、第一実施形態の化粧料容器１００を説明するための分解斜視図である。図２（ａ）、図２（ｂ）、図３（ａ）及び図３（ｂ）は、図１に示した化粧料容器１００の外観を説明するための図であって、図２（ａ）は、第一実施形態の化粧料容器１００の全体を説明するための斜視図である。図２（ｂ）は、図２（ａ）に示した化粧料容器１００の正面図である。図３（ａ）は、複合容器１の上面図である。また、図３（ｂ）は、化粧料容器１００の底面図である。図４は、化粧料容器１００を図３（ａ）に示した矢線ＩＶ−ＩＶの方向に見た断面図である。
第一実施形態では、図１から図４に示した複合容器１と、液状又はペースト状化粧料（以下、単に「化粧料」とも記す）が収容される複数のレフィル容器５ａ、５ｂ、５ｃとを、合わせて化粧料容器１００と記す。
【００１１】
図１に示した複合容器１は、液状又はペースト状化粧料が収容されるレフィル容器を含む複数のレフィル容器を装着して使用される容器である。第一実施形態でいう液状又はペースト状化粧料とは、化粧水、美容液、乳液、クリーム、ジェル、リキッドファンデーション等の２５℃で液状又はペースト状を呈する化粧料である。
なお、ここで、「液状」とは、化粧料が液体の状態にあることをいい、その粘性や流動性は任意である。また、「ペースト状」とは、化粧料が流動性と比較的高い粘性とを有する状態にあることを指す。
【００１２】
複合容器１は、液状又はペースト状化粧料が収容されるレフィル容器を含む複数のレフィル容器である図１に示したレフィル容器５ａ、５ｂ、５ｃが装着可能な装着部３１を有する主本体３と、主本体３と係り合う主蓋体２を含んでいる。また、複合容器１は、主蓋体２が装着部３１に装着された場合、装着部３１に装着された状態のレフィル容器５ａ、５ｂ、５ｃを覆う主蓋体２と、を含んでいる。
以下、上記構成を、順に説明する。
【００１３】
（複合容器）
図２（ａ）及び図３（ａ）に示すように、主蓋体２は、外形が略円盤形状を有している。第一実施形態では主蓋体２をねじ蓋としている。このため、図４に示すように、主蓋体２にはねじ部２４が、主本体３にはねじ部３４が形成され、ねじ部２４とねじ部３４とは互いに接しながら一方を基準にして他方が移動する。ただし、第一実施形態は、主蓋体２をねじ蓋に限定するものではなく、主蓋体２が主本体３に嵌合されるものであってもよい。主蓋体２の上面２ｃには中心部２ｅを中心にして放射状に延びる曲線２ａが等間隔に形成されていて、曲線２ａ間の面２ｃｃは両端の曲線２ａから中央に向かってわずかに上昇する曲面になっている。また主蓋体２の上面内側には、気密性を高めるためにパッキン等を設けることができる。
主蓋体２の周面２ｄには、曲線２ａの中心部２ｅと反対側の端部を延長した直線２ｂが等間隔に形成されている。周面２ｄにおいて、直線２ｂ間の面２ｄｄは両端の直線２ｂから中央に向かってわずかに上昇する曲面になっている。主蓋体２の上面２ｃと周面２ｄとの間には面取部２ｆが形成されていて、上面２ｃと周面２ｄとの角度を緩やかにしている。
【００１４】
第一実施形態では、主本体３の底面３ｃの側を主本体３の「下」、主蓋体２と接する側を主本体３の「上」と記す。主本体３は、底面３ｃが円形を有していて、底面３ｃに平行な横断面が常に円形を有している。主本体３の横断面は上から下に向かって順次小さくなっている。このことから、主本体３の側面３ｂは、上から下に向かうほど主本体３の底面３ｃの中心を通る底面３ｃに鉛直な軸（中心軸、図示せず）に近づくように傾斜する曲面になっている。側面３ｂには、ティアドロップ形の突起部３ａが形成されている。
【００１５】
上記構成において、ねじ蓋である主蓋体２は、使用者が主蓋体２を回転する回転量によって停止位置にばらつきが生じる。主蓋体２の停止位置がばらつくと、レフィル容器５ａ、５ｂ、５ｃ内の化粧料が主蓋体２の裏面に付着していた場合、この化粧料が他の化粧料を収容するリフィル容器上で停止し、複合容器１内で化粧料同士が混ざる可能性が生じる。このような点を防ぐために、例えば、主蓋体２と主本体３とに、主蓋体２をねじ込み切った状態に固定する凹凸部等の位置決め手段を設けることが好ましい。これにより使用者は、主蓋体２を常に一定の位置に固定することができる。
なお、第一実施形態は、曲線２ａ及び突起部３ａの形状を図１に示した形状に限定するものではない。曲線２ａ及び突起部３ａの形状は、使用者による化粧料容器の持ちやすさや装飾性を考慮して決定される。
【００１６】
主蓋体２をねじ蓋とした場合、複合容器１の使用者は、一方の手で主本体３を下方から抑えると共に、他方の手を上方から主蓋体２にかけて主蓋体２を回転させる。このとき、第一実施形態の主本体３は上から下に向かって緩やかな傾斜を持ってその径が小さくなっているので、使用者の手が主本体３に自然に沿うようになる。このため、手が主本体３にフィットし、主本体３は使用者にとって持ちやすいものとなる。さらに、主本体３に突起部３ａが形成されているので、使用者の手が突起部３ａに引っ掛かって主本体３と手との間の摩擦力が大きくなる。すなわち、突起部３ａは、摩擦係数増大部である。
一方、主蓋体２では、上面２ｃ及び周面２ｄに凸局面（面２ｃｃ、２ｄｄ）が形成されているため、使用者が上面２ｃ及び周面２ｄを掴み易くなり、主蓋体２に効率よく回転力を伝えることができる。このため、複合容器１は、手指が比較的小さい、あるいは力が弱い使用者にも容易に開けることができるようになる。
【００１７】
（装着部）
第一実施形態の装着部３１は、主本体３と一体的に形成され、レフィル容器５ａ、５ｂ、５ｃ嵌合される嵌合部である。装着部３１は、主本体３の内周面に、装着部３１と一体的に形成された３つの仕切板部３３２を有している。隣り合う仕切板部３３２と主本体３の内周面とが形成する空間がレフィル容器５ａ、５ｂ、５ｃのいずれかと嵌合する嵌合孔３３１になる。嵌合孔３３１の側面は、レフィル容器５ａ、５ｂ、５ｃの外形に沿うように角度が異なる複数の面で構成されている。嵌合孔３３１の側面には、主本体３の内周面に凹部３３が形成されている。凹部３３には、レフィル容器５ａの側の凸部５５が係止される。
【００１８】
図１に示した三つの仕切板部３３２は隣接する両側の仕切板部３３２との角度が等しく、三つの嵌合孔３３１は、いずれも等しい形状及び大きさを有している。ただし、第一実施形態は、このような構成に限定されるものではない。例えば、第一実施形態は、仕切板部３３２を三つ有する点に限定されるものでなく、仕切板部３３２をいくつ有するものであってもよい。また、複数の仕切板部３３２の間隔は等間隔であることに限定されず、異なる間隔で配置されるものであってもよい。このとき、当然のことながら、複数の嵌合孔３３１の少なくとも一部の形状及び大きさは、他の一部と相違することになる。
【００１９】
さらに、第一実施形態の装着部は、図１に示した仕切板部３３２を有するものに限定されず、嵌合孔が上面視において円あるいは円環をなす一つの嵌合孔であってもよい。このような構成では、円、あるいは円環の一つの嵌合孔に複数のレフィル容器が収容される。このとき、複数のレフィル容器は、例えば、複数のレフィル容器が互いに係合し、係合したレフィル容器全体が一つの嵌合孔に嵌合するようにしてもよい。
主蓋体２、主本体３の材料としては、例えば、ポリプロピレン、塩化ビニル樹脂、ポリスチレン、ＡＳ樹脂及びＡＢＳ樹脂等が好適である。主本体３と装着部３１とを一体的に成形する場合、型成形や射出成形等が使用される。
【００２０】
（レフィル容器）
第一実施形態のレフィル容器５ａ、５ｂ、５ｃは、図１に示したように、複合容器１に装着されている。レフィル容器５ａ、５ｂ、５ｃは、液状又はペースト状化粧料が収容される容器であって、複合容器１にセット（装着）され、消費された後に他のレフィル容器と交換できる。レフィル容器５ａ、５ｂ、５ｃは、交換後に廃棄される使い捨て型のものとすることができる。レフィル容器５ａ、５ｂ、５ｃに収容される液状又はペースト状化粧料は任意に選択することが可能である。また、第一実施形態では、レフィル容器５ａ、５ｂ、５ｃの少なくとも一部が液状又はペースト状化粧料を収容するものであればよく、他の一部が固形化粧料等の液状又はペースト状以外の化粧料を収容するものであってもよい。
このようにすることにより、第一実施形態は、レフィル容器５ａ、５ｂ、５ｃの各々を任意のタイミングで容易に交換することができる。
【００２１】
第一実施形態では、図１に示すように、複合容器１に三つのレフィル容器５ａ、５ｂ、５ｃが収容されているものを例にした。レフィル容器５ａ、５ｂ、５ｃは、いずれも同じ形状を有していて、開口部５３ａ、５３ｂ（レフィル容器５ｃは開口されていない）を有するレフィル本体５２ａ、５２ｂと、開口部５３ａ、５３ｂを覆うレフィル蓋体５１ａ、５１ｃと、を含んでいる。
レフィル容器５ａ、５ｂ、５ｃの外観は、下方に向かって径が小さくなる主本体３に応じて下方に向かって横断面積が小さくなっていて、レフィル容器５ａ、５ｂ、５ｃの底面５１２の面積が最小になる。
【００２２】
図１においては、レフィル容器５ａはレフィル蓋体５１ａが開蓋半ばであって、レフィル容器５ｂはレフィル蓋体が取り去られた状態である。レフィル容器５ｃは、レフィル蓋体５１ｃによって図示しない開口部が封止されている。
レフィル本体５２ａ、５２ｂ、５２ｃは樹脂を材料にして形成され、例えば、ポリプロピレン、塩化ビニル樹脂、ポリスチレン、ＡＳ樹脂及びＡＢＳ樹脂等が好適である。
レフィル蓋体５１ａ、５１ｃは、例えば、合成紙、樹脂及び金属の少なくとも一つを含むシート状の材料を、熱または接着材によってレフィル本体５２ａ、５２ｂ、５２ｃに圧着または接着することによって形成できる。レフィル蓋体５１ａ、５１ｃの樹脂としては、例えば、ポリエチレン、ポリプロピレン、ポリフェニレンエーテル等が好適である。
【００２３】
レフィル蓋体５１ａ、５１ｃは、開口部５３ａよりも外側に延出するタブ部５１４を有している。図１に示すように、レフィル蓋体５１ａ、５１ｃは、上面視が扇形状を有している。第一実施形態では、略部分円の形状を扇形状と記すものとする。このため、第一実施形態の扇形状は、円の半径と長さが等しい二辺と、この二辺の端点同士を接続する円周の一部で構成される。第一実施形態では、二辺のなす角度を「中心角度」、円周の一部を「外縁」と記す。部分円の中心角度は１８０度以下の任意の角度とする。
タブ部５１４は、レフィル蓋体５１ａ、５１ｃの扇形状の縁部分と接続する。第一実施形態のタブ部５１４は、レフィル蓋体５１ａ、５１ｃと一体のシート部材で構成される。そして、扇形状の外縁の一方の端部に開口部５３ａ等よりも外側に張り出すように形成されている。このようなタブ部５１４は、レフィル蓋体５１ａ等をレフィル本体５２ａ、５２ｃから剥離する際に使用者が把持する部分である。
【００２４】
第一実施形態では、レフィル容器５ａ、５ｂ、５ｃを嵌合孔３３１に装着した場合、レフィル容器５ａ、５ｂ、５ｃが組み合わされて外縁を主本体３の縁部に向けて固定される。レフィル蓋体５１ａ、５１ｃは、主本体３に固定された状態でレフィル本体５２ａ、５２ｃから剥離される。このようにすることにより、剥離によるレフィル本体５２ａ、５２ｃの動きが抑止され、レフィル容器５ａ、５ｂ内の液状又はペースト状化粧料をこぼれ難くすることができる。このとき、第一実施形態は、タブ部５１４が外縁端部に形成されていることにより、レフィル容器５ａ、５ｃからレフィル蓋体５１ａ、５１ｃを剥がしやすくすることができる。
【００２５】
ただし、第一実施形態は、レフィル容器５ａ、５ｃの蓋体をレフィル蓋体５１ａ、５１ｃのように開口部５３ａ、５３ｂを剥離可能なシート状のシール部材とする構成に限定されるものではない。レフィル容器５ａ、５ｃの蓋体は、例えば、破断可能なシート状のシール部材であってもよいし、レフィル本体５２ａ、５２ｂ、５２ｃと一体成形されるものであってもよい。使い捨てされるレフィル容器５ａ、５ｃの蓋体は、開封時に不可逆的に破断され、開蓋後には再度使用できない構成であることが好ましい。
【００２６】
さらに、第一実施形態では、レフィル容器５ａ、５ｂ、５ｃは、レフィル本体５２ａ、５２ｂ、５２ｃに設けられて、主蓋体２に向けて伸縮変形可能な伸縮部を有している。第一実施形態では、伸縮部を、クッション部５１１として図１に示す。クッション部５１１は、レフィル本体５２ａ、５２ｂ、５２ｃと同一の材料でなるジャバラ形状の部分であり、レフィル本体５２ａ、５２ｂ、５２ｃと一体的に形成されている。
レフィル容器５ａ、５ｂ、５ｃにクッション部５１１を形成することにより、第一実施形態は、主蓋体２を閉めたときにクッション部５１１が主蓋体２を下から押圧し、開蓋されたレフィル容器５ａ、５ｂ、５ｃの気密性を高めることができる。
【００２７】
第一実施形態では、クッション部５１１が開口部５３ａ、５３ｂ等の縁部分よりも外側に僅かに延出している。このことにより、レフィル容器５ａ、５ｂ、５ｃのクッション部５１１の上面は、嵌合孔３３１の縁に係合し、装着部３１上に露出する。第一実施形態は、クッション部５１１の装着部３１から露出した部分が化粧料に応じた色で彩色されたもの、あるいはレフィル本体５２ａ、５２ｂ、５２ｃ全体が彩色されたものであってもよい（図１）。このようにすると、使用者は、開封されたレフィル容器５ａ、５ｂ、５ｃを上方から見たときに使用したい化粧料を簡易に識別することができ、複合容器１の使い勝手を高めることができる。
なお、第一実施形態は、伸縮部をクッション部５１１の構成に限定するものではない。伸縮部は、例えば、開口部５３ａ、５３ｂの縁部にゴムやスポンジ等の弾性を有する部材を取り付けることによっても構成することができる。
【００２８】
以上説明した第一実施形態の複合容器１は、一つの主蓋体２を開蓋することによって３つの化粧料を取り出すことができる。このような複合容器１は、取り出しが効率的にできる。また、第一実施形態は、レフィル容器入りの液状又はペースト状化粧料を収容するため、なくなった化粧料を他の化粧料と無関係に任意のタイミングで交換することができる。
【００２９】
［第二実施形態］
次に、本発明の第二実施形態を説明する。第二実施形態は、装着部を、レフィル容器５ａ、５ｂ、５ｃと嵌合するものであって、主本体に着脱可能な別体の部材としたものである。
図５は、第二実施形態の化粧料容器６００の斜視図である。化粧料容器６００は、主蓋体２と主本体７及び中皿７１とを有する複合容器６と、レフィル容器５ａ、５ｂ、５ｃと、によって構成される。図６は、図５に示した主本体７の上面図である。図７は、図６に示した中皿７１及び主本体７を図６に示した矢線ＶＩＩ−ＶＩＩの方向に見た断面図である。主蓋体２と主本体７とによって構成される化粧料容器６００は、複合容器６の内部に液状又はペースト状化粧料入りのレフィル容器５ａ、５ｂ、５ｃを収容している。
主本体７は、第一実施形態の主本体３と同様に、上面視において円形であり、その径が下方に向かうほど小さくなっている。このため、主本体７の側面７ｂは上方から下方に向かうほど中心軸（図示せず）に近づくように傾斜する曲面になっていて、底面７ｃが主本体７の横断面において最小径を有している。側面７ｂには突起部７ａが形成されている。
第二実施形態においても主蓋体２はねじ蓋であって、主本体７には上端からねじ部７４が形成されている。主本体７には開口部７５がある。
【００３０】
中皿７１は、外形が円形であって、円の径は底面７ｃの径よりも小さくなっている。このような中皿７１は、主本体７の底部分に水平にセットされる。中皿７１には第二実施形態の嵌合部である凹部７７１ａ及び凸部７７１ｂが形成されていて、凹部７７１ａはレフィル容器５ａ、５ｂ、５ｃの底面５１２と一致する形状を有している。凹部７７１ａ及び凸部７７１ｂは、レフィル容器５ａ、５ｂ、５ｃの底面５１２を含む高さ方向の一部と嵌合する。第二実施形態では、凹部７７１ａ及び凸部７７１ｂが、レフィル容器５ａ、５ｂ、５ｃの底面５１２から段差部５１２ａまでが凹部７７１ａ及び凸部７７１ｂに嵌合される。
また、図７に示すように、主本体７は、内面にねじ部７７２を有している。一方、中皿７１の側面にはねじ部７７３が形成されている。中皿７１のねじ部７７３は、ねじ部７７２と螺合して主本体７の底部分に固定される。このような構成により、凹部７７１ａ及び凸部７７１ｂに嵌合されたレフィル容器５ａ、５ｂ、５ｃは、主本体７内で回転することなく固定される。
なお、第二実施形態は、中皿７１を、凸部７７１ｂと凹部７７１ａを有する構成に限定するものではない。中皿７１は、凹部７７１ａに代えて底面５１２の形状に沿った穴部を有するものであってもよい。
【００３１】
［第三実施形態］
次に、本発明の第三実施形態を説明する。第三実施形態は、第一実施形態で説明した装着部３１を、主本体と別体の着脱可能な構成としたものである。
図８、図９（ａ）、図９（ｂ）及び図９（ｃ）は、第三実施形態の装着部である仕切部材９ａ、９ｂ、９ｃを説明するための図である。図８は、第三実施形態の主本体８に仕切部材９ａが装着された状態を示す図である。図９（ａ）は仕切部材９ａを示し、図９（ｂ）は仕切部材９ｂを示し、図９（ｃ）は仕切部材９ｃを示す図である。図８に示すように、第三実施形態の装着部は、主本体８の内周面に形成された凹溝８１ａ、８１ｂ、８１ｃ、８１ｄと、凹溝８１ａ、８１ｂ、８１ｃ、８１ｄに嵌合される仕切部材９ａと、を含んでいる。そして、主本体８の内周面８２と仕切部材９ａとによって形成される空間８３ａ、８３ｂ、８３ｃ、８３ｄに対してレフィル容器５ａ、５ｂ、５ｃがそれぞれ嵌合する。
【００３２】
凹溝８１ａ、８１ｂ、８１ｃ、８１ｄは、いずれも主本体８の内周面に沿って形成されていて、下方に向かうほど主本体８の中心軸に近づくように形成されている。仕切部材９ａは、図９（ａ）に示すように、４つの板部材８５ａ、８５ｂ、８５ｃ、８５ｄを有している。板部材８５ａ、８５ｃは、板部材８５ｂと板部材８５ｄとの境界に、板部材８５ｂ、８５ｄに対して垂直に形成されている。また、板部材８５ｂ、８５ｄは、板部材８５ａと板部材８５ｃとの境界に、板部材８５ａ、８５ｃに対して垂直に形成されている。板部材８５ａ、８５ｂ、８５ｃ、８５ｄは、いずれも形状及びサイズが同一であって、端辺８６が凹溝８１ａ、８１ｂ、８１ｃ、８１ｄに沿う曲線になっている。
上記した凹溝８１ａ、８１ｂ、８１ｃ、８１ｄに仕切部材９ａを装着する場合、例えば、凹溝８１ａに板部材８５ａをスライドさせながら嵌合させる。また、同様に、凹溝８１ｂに板部材８５ｂを、凹溝８１ｃに板部材８５ｃを、凹溝８１ｄに板部材８５ｄを嵌合させる。仕切部材９ａの装着後、主本体８内には、板部材８５ａ、板部材８５ｂ及び内周面８２によって空間８３ａが形成される。また、板部材８５ｂ、板部材８５ｃ及び内周面８２によって空間８３ｂが形成され、板部材８５ｃ、板部材８５ｄ及び内周面８２によって空間８３ｃが形成され、板部材８５ｄ、板部材８５ａ及び内周面８２によって空間８３ｄが形成される。
【００３３】
なお、第三実施形態は、仕切部材の形状を四つの板部材８５ａ、８５ｂ、８５ｃ、８５ｄによって構成される仕切部材９ａに限定するものではない。第三実施形態では、例えば、図９（ｂ）に示すように、板部材８５ａ、８５ｂ、８５ｃの三つを有する仕切部材９ｂを主本体８に装着してもよいし、一つの板部材８５を有する仕切部材９ｃを主本体８に装着してもよい。仕切部材９ｂを主本体８に装着する場合、主本体８の側には板部材８５ａ、８５ｂ、８５ｃに沿った三つの凹溝が形成される。また、仕切部材９ｃを主本体８に装着する場合、主本体８の側には板部材８５の端辺８６を支持する二つの凹溝が形成される。
仕切部材９ｂは、主本体８の内周面８２との間に三つの空間を形成し、三つの空間のうち一つは他の二つの空間と大きさが異なっている。このような構成は、例えば、美容液等に比べて使用量の多い乳液等のレフィルを大きな空間に嵌合し、他の二つに美容液やクリーム等を収容することにより、全ての化粧料の交換時期を揃えることができる。また、仕切部材９ｃは、主本体８の内周面８２との間に二つの図１に示した嵌合孔３３１よりも大きな空間を形成する。このような構成は、例えば、化粧の工程数が少ない使用者にとって好適である。
【００３４】
以上説明した第三実施形態では、例えば、主本体８に凹溝を最大数形成しておき、仕切部材９ａ、９ｂ、９ｃを主本体８とは別に使用者（エンドユーザ）に提供するようにしてもよい。また、この場合、例えば、形状の異なる仕切部材９ａ、９ｂ、９ｃをセットにして使用者に提供してもよい。このようにすれば、使用者は、自身の化粧の工程に応じてレフィル容器の大きさや収容する化粧料を選択し、選択された液状又はペースト状化粧料入りのレフィル容器を第三実施形態の複合容器に収容することができる。
【００３５】
なお、以上説明した第一実施形態、第二実施形態及び第三実施形態は、本発明の複合容器の構成を限定するものではない。例えば、第一実施形態、第二実施形態及び第三実施形態は、いずれも主蓋体及び主本体を上面視において円形の形状とした。しかし、本発明の複合容器は、主蓋体及び主本体が上面視において円形のものに限定されるものではない。第一実施形態ないし第三実施形態では、主蓋体及び主本体の形状は任意であり、一つの主蓋体を開蓋することによって複数のレフィル容器に入った液状又はペースト状化粧料を取り出すことができるものであればよい。
【００３６】
図１０は、主蓋体及び主本体が上面視において円形でない複合容器を例示した図である。図１０に示した複合容器１０は、上面視において円形の主蓋体２と、上面視において矩形の主本体１０３とによって化粧料容器を構成した例である。主本体１０３は、上面１０３ａから底面１０３ｃに向かって中心軸に近づくように傾斜する側面１０３ｂを有していて、第一実施形態の主本体３と同様に、使用者の手に馴染み易い形状となっている。さらに、本発明の化粧料容器は、主本体と共に主蓋体も上面視が矩形であってもよいし、主蓋体及び主本体の両方または一方が例えば矩形や多角形及び楕円形等であってもよい。
【符号の説明】
【００３７】
１、６、１０・・・複合容器
２・・・主蓋体
２ａ・・・曲線
２ｂ・・・直線
２ｃ・・・上面
２ｃｃ、２ｄｄ・・・面
２ｄ・・・周面
２ｅ・・・中心部
２ｆ・・・面取部
３、７、８、１０３・・・主本体
３ａ、７ａ・・・突起部
３ｂ、７ｂ、１０３ｂ・・・側面
３ｃ、７ｃ、１０３ｃ、５１２・・・底面
５ａ、５ｂ、５ｃ・・・レフィル容器
９ａ、９ｂ、９ｃ・・・仕切部材
２４、３４、７４、７７２、７７３・・・ねじ部
３１・・・装着部
３３・・・凹部
５１ａ、５１ｃ・・・レフィル蓋体
５２ａ、５２ｂ、５２ｃ・・・レフィル本体
５３ａ、５３ｂ、７５・・・開口部
５５・・・凸部
７１・・・中皿
８１ａ、８１ｂ、８１ｃ、８１ｄ・・・凹溝
８２・・・内周面
８３ａ、８３ｂ、８３ｃ、８３ｄ・・・空間
８５、８５ａ、８５ｂ、８５ｃ、８５ｄ・・・板部材
８６・・・端辺
１００、６００・・・化粧料容器
１０３ａ・・・上面
３３１・・・嵌合孔
３３２・・・仕切板部
５１１・・・クッション部
５１２ａ・・・段差部
５１４・・・タブ部
７７１ａ・・・凹部
７７１ｂ・・・凸部
【図１】
2019092727.tif 000003
【図２】
2019092727.tif 000004
【図３】
2019092727.tif 000005
【図４】
2019092727.tif 000006
【図５】
2019092727.tif 000007
【図６】
2019092727.tif 000008
【図７】
2019092727.tif 000009
【図８】
2019092727.tif 000010
【図９】
2019092727.tif 000011
【図１０】
2019092727.tif 000012